(57)【要約】【課題】通信ネットワークと接続可能な端末装置を利用せず、誰でも簡易に利用できる避難誘導装置を提供する。【解決手段】屋外に設置される避難誘導装置は、現在位置と避難場所を含む地図を表示する表示部と、表示部全体を照明する屋外灯と、表示部に表示される現在位置から避難場所までの経路に沿って配置された経路案内灯と、揺れを検知し、所定震度以上の揺れを検知すると、経路案内灯に電源を供給し、経路案内灯を点灯させる感震制御部とを備える。【選択図】図１
2014081795.tif 000002
【特許請求の範囲】
【請求項１】
屋外に設置される避難誘導装置において、
在位置と避難場所を含む地図を表示する表示部と、
記表示部全体を照明する屋外灯と、
記表示部に表示される現在位置から避難場所までの経路に沿って配置された経路案内灯と、
揺れを検知し、所定震度以上の揺れを検知すると、前記経路案内灯に電源を供給し、前記経路案内灯を点灯させる感震制御部とを備えることを特徴とする避難誘導装置。
【請求項２】
請求項１において、
回転しながら点灯する回転灯を備え、
前記感震制御部は、所定震度以上の揺れを検知すると、前記回転灯に電源を供給し、前記回転灯を点灯させることを特徴とする避難誘導装置。
【請求項３】
請求項２において、さらに、
太陽光発電部と、
記太陽光発電部により発電された電力を蓄積する蓄電池とを備え、
前記感震制御部は、前記蓄電池から前記経路案内灯及び前記回転灯に電源を供給することを特徴とする避難誘導装置。
【請求項４】
請求項１乃至３のいずれか一つにおいて、
記経路案内灯は、前記表示部に表示される現在位置から避難場所までの複数の経路に沿って配置されることを特徴とする避難誘導装置。
【発明の詳細な説明】
【技術分野】
【０００１】
本発明は、大地震により発生する津波などの災害発生の警報が発せられた場合に人々の避難場所への避難を支援するための避難誘導装置に関する。
【背景技術】
【０００２】
地震などにより津波が発生すると予想される場合において、人々を避難場所に誘導するためのさまざまな手法が提案されている。
【０００３】
特許文献１によれば、津波避難場所誘導装置は、津波警報に基づいて避難場所を決定し、通信ネットワークを介して携帯メールにて利用者に送信することで、携帯電話のGPSサービスと連動して避難場所にナビゲーションすることを可能にする。
【０００４】
特許文献２によれば、避難誘導システムは、災害情報配信サーバは、携帯情報端末の現在位置情報を受信すると、現在位置からの避難経路情報を作成して、通信ネットワークを介して携帯情報端末に送信し、避難場所に誘導することを可能にする。
【０００５】
特許文献３によれば、避難誘導システムは、災害情報を受信すると、被害が及ぶ範囲をもとに避難エリアを決定し、携帯端末から受信した現在位置情報から最も近い避難候補地に最短で到達する避難経路を検索し、通信ネットワークを介して避難場所及び避難経路を携帯端末に通知することにより、避難場所に誘導することを可能にする。
【０００６】
特許文献４によれば、車載用ナビゲーション装置は、緊急情報に含まれる地域を迂回する経路案内を設定し、また、津波警戒情報を受信した場合は、自動的に高台への避難経路を計算し誘導することを可能にする。
【先行技術文献】
【特許文献】
【０００７】
【特許文献１】特開２０１１−２２７８７８号公報
【特許文献２】特開２０１０−２４４４０７号公報
【特許文献３】特開２００９−２８８８４３号公報
【特許文献４】特開２００８−８９５８２号公報
【発明の概要】
【発明が解決しようとする課題】
【０００８】
上記のような先行技術においては、利用者側には通信ネットワークと接続可能な端末装置が用意されている必要があり、通信ネットワーク切断時や利用者が端末装置を操作不能な状態など（例えば、端末装置のバッテリ切れ、利用者が携帯電話端末を所持していないなど）では、有効に機能しない。
【０００９】
そこで、本発明の目的は、通信ネットワークと接続可能な端末装置を利用せず、誰でも簡易に利用できる避難誘導装置を提供することにある。
【課題を解決するための手段】
【００１０】
本発明の避難誘導装置の構成は、屋外に設置される避難誘導装置において、現在位置と避難場所を含む地図を表示する表示部と、表示部全体を照明する屋外灯と、表示部に表示される現在位置から避難場所までの経路に沿って配置された経路案内灯と、揺れを検知し、所定震度以上の揺れを検知すると、経路案内灯に電源を供給し、経路案内灯を点灯させる感震制御部とを備えることを特徴とする。経路案内灯は、表示部に表示される現在位置から避難場所までの複数の経路に沿って配置されていてもよい。
【００１１】
本発明の避難誘導装置は、さらに、回転しながら点灯する回転灯を備え、感震制御部は、所定震度以上の揺れを検知すると、回転灯に電源を供給し、回転灯を点灯させる。
【００１２】
本発明の避難誘導装置は、さらに、太陽光発電部と、太陽光発電部により発電された電力を蓄積する蓄電池とを備え、感震制御部は、蓄電池の電力を利用して経路案内灯及び回転灯に電源を供給する。
【発明の効果】
【００１３】
本発明の避難誘導装置によれば、災害発生時に指定された避難場所に避難する場合、通信ネットワークと接続可能な端末装置を利用しなくとも、屋外に出た後容易に避難場所を確認することができ、迅速に避難場所に到達するのに大きく貢献する。
【図面の簡単な説明】
【００１４】
【図１】本発明の実施の形態における避難誘導装置の外観構成を示す図である。
【図２】本発明の実施の形態における避難誘導装置のブロック構成を示す図である。
【発明を実施するための形態】
【００１５】
以下、図面を参照して本発明の実施の形態について説明する。しかしながら、かかる実施の形態例が、本発明の技術的範囲を限定するものではない。
【００１６】
図１は、本発明の実施の形態における避難誘導装置の外観構成を模式的に示す図であり、図２は、避難誘導装置のブロック構成を示す図である。避難誘導装置の外観構成において、地図が表示された表示板１１がフレーム１２に囲まれ、フレーム１２の一部を兼ねる２本の支柱１３により支持されている。支柱１３は、コンクリート基礎により地面に固定されている。フレーム１２及び支柱は例えば鋼製であり、表示板１１は、金属板又はプラスチック板などで形成される。
【００１７】
地図には、少なくとも現在位置と避難場所を含む範囲が印刷表示されており、現在位置と避難場所が明示されている。後述するように、現在位置と避難場所とを結ぶ経路に沿って、複数のＬＥＤライトで構成される経路案内灯１４（表示板１１内の黒点表示）が埋め込まれており、所定の条件のもとで経路案内灯１４が点灯する構成となっている。現在位置と避難場所とを結ぶ経路は、複数の経路が設定され、全経路に、経路案内灯１４が設けられる。
【００１８】
フレーム１２の上部には、表示板１１全体を照明する屋外灯１５及び回転しながら点灯する警報用の回転灯１６が取り付けられている。取り付け位置は、適宜設定可能である。さらに、フレーム１２の上部には、太陽光発電を行う太陽光パネル（太陽光発電部）１７が設置されており、太陽光パネル１７により発電された電力は、蓄電池１８に蓄電される。屋外灯１５及び回転灯１６も、好ましくはＬＥＤライトで構成される。蓄電池１８及び感震制御部２０は、図１には表示されないが、地面上、フレーム１２上又は表示板１１裏など適切な位置に設置される。
【００１９】
感震制御部２０は、揺れすなわち加速度を検知する地震検知手段であって、さらに、検知した揺れに応じて電源供給をＯＮ／ＯＦＦする制御機能を有する。また、感震制御部２０は、検知した揺れを発生日時とともに記録するデータロガーの機能も果たす。そして、感震制御部２０は、所定震度以上の地震すなわち所定加速度以上の揺れを検知した場合に、蓄電池１８の電力を利用して、経路案内灯１４及び回転灯１６に電力を供給して、点灯させる。なお、感震制御部２０は、揺れの検知を問わず、屋外灯１５を毎日あらかじめ設定された時間範囲（夜の時間帯）で点灯させる。
【００２０】
大地震は昼夜を問わずに発生する可能性があり、深夜に地震が発生し、停電が発生した場合に、屋外に出てもどこへ避難してよいかわからず、また、周囲の状況が暗くて見えないため不安が増幅する。本発明の避難誘導装置は、停電となっても、蓄電池１８により電力を利用可能に維持し、避難が必要なほどの地震（津波が発生するおそれのなる地震など）が発生した場合に、その地震の揺れの検知により、回転灯１６を点灯させることで、避難誘導装置の位置を周囲に認知させることができ、さらに、表示板１１の地図上では、経路案内灯１４が点灯して、避難場所への経路を案内しているので、避難場所への経路を容易に把握することができ、迅速な避難を可能にする。さらに、避難経路を２経路以上点灯案内しているので、仮に、１つの経路が不通となっている場合でもあっても、別の経路をすぐさま確認して、避難場所に到着することができる。
【００２１】
本発明の避難誘導装置を一定間隔で配置することにより、通信ネットワークに接続する端末装置を利用せずに、身一つで避難する場合であっても、容易に避難場所を確認することができ、迅速な避難の補助となる。
【００２２】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。例えば、蓄電池に蓄積される電力は、太陽光パネルによる発電に限らず、風力発電のような他の発電装置によるものでよいし、また、商用電力を利用してもよい。
【符号の説明】
【００２３】
１１：表示板、１２：フレーム、１３：支柱、１４：経路案内灯、１５：屋外灯、１６：回転灯、１７：太陽光パネル、１８：蓄電池、２０：感震制御部
【図１】
2014081795.tif 000003
【図２】
2014081795.tif 000004